(57)【要約】【課題】防草効果に優れ、シートの接続部分が煽られてめくれる心配がなく、除草すべき地面に多少の不陸があってもシートを体裁良くほぼ平坦に敷設できる、施工性の良好な防草構体を提供する。【解決手段】シート両面に多数の凸部１ａを交互に形成した遮光性かつ遮水性の合成樹脂製エンボスシート１を、除草すべき地面、例えば路肩面２或いは路肩面２から法面３に亘って敷設し、固定ピン４で固定した構成の防草構体とする。太陽光と雨水がエンボスシート１で遮断され、防草効果が発揮される。エンボスシート１は剛性があるので体裁良くほぼ平坦に敷設でき、隣接するエンボスシート１の端部の凸部１ａ同士を嵌合すると、シート端部が煽られてめくれないように確実に接続でき、固定ピン４で簡単に固定できるので、施工性が良好である。【選択図】図１
2006177122.tif 000002
【特許請求の範囲】
【請求項１】
シート両面に多数の凸部を交互に形成した遮光性かつ遮水性の合成樹脂製エンボスシートを、除草すべき地面に敷設、固定したことを特徴とする防草構体。
【請求項２】
エンボスシートを、除草すべき路肩面に敷設、固定したことを特徴とする請求項１に記載の防草構体。
【請求項３】
エンボスシートを、除草すべき路肩面から法面に亘って敷設、固定したことを特徴とする請求項１に記載の防草構体。
【請求項４】
エンボスシートの上から固定ピンを打ち込んでエンボスシートを固定したことを特徴とする請求項１ないし請求項３のいずれかに記載の防草構体。
【請求項５】
エンボスシートの道路側の端部を下方に直角に折り曲げて道路に埋め込んだことを特徴とする請求項２又は請求項３のいずれかに記載の防草構体。
【請求項６】
隣接するエンボスシートの端部を上下に重ね、この重ねたシート端部の凸部同士を嵌合させてエンボスシートを接続しながら敷設したことを特徴とする請求項１ないし請求項５のいずれかに記載の防草構体。
【請求項７】
上下に重ねたエンボスシートの端部の間にコーキング剤を詰めたことを特徴とする請求項６に記載の防草構体。
【請求項８】
路肩のガードレール支柱と、エンボスシートに形成したガードレール支柱の挿通孔との隙間に、コーキング剤を詰めたことを特徴とする請求項２又は請求項３に記載の防草構体。
【発明の詳細な説明】
【技術分野】
【０００１】
本発明は、道路の路肩、空き地、その他の防草が必要な地面に施工される防草構体に関する。
【背景技術】
【０００２】
道路の路肩に生える雑草は、道路の景観を悪化させるのみならず、道路の幅員を狭めて交通の安全を損なう恐れがあるため、年に２回程度、路肩の除草作業が行われている。けれども、除草作業をするには道路の片側を交通規制する必要があるため、交通渋滞を招きやすいという問題があり、作業員の安全性も問題になっていた。また、都市部の空き地なども、雑草が生えると景観が悪化し、防犯のためにも良くないという問題があった。
【０００３】
このような事情から、光を通しにくい緑色のポリプロピレン製不織布を防草用シートとして路肩面などに敷設することにより、雑草を枯死させて新たに生えてこないようにする試みがなされているようである。しかしながら、ポリプロピレン製不織布は、雨水の浸透を確実に遮断しにくいので防草効果が不十分であり、しかも柔らかい不織布であるため、重ねて接続したシート端部が煽られてめくれ易く、そのめくれた部分から雑草が生えてくるという問題があった。また、路肩から不陸のある法面に上記の柔らかい不織布を敷設すると、法面の不陸に沿って不織布に凸凹が生じるため、外観が良くないという問題もあった。
【０００４】
一方、土木用ベルトコンベアーのゴム製の廃ベルトを切断加工して表面にコンクリート製の錘ブロックを複数個貼着した防草マットを製作し、これを路肩面等に敷設してアンカーピンで固定し、防草マット間の縦横の隙間にコーキング剤を充填すると共に、連結用のゴムテープで防草マット間の隙間を目貼りしてシール処理する防草工法も提案されている（特許文献１）。しかしながら、この防草工法は、防草マットの製作が面倒で手間がかかるのみならず、防草マットの接続部分のシール処理に時間がかかるため施工性が良くないという問題があり、しかも、連結用のゴムテープが劣化しやすいため、防草マットの接続部分が分離してシール性が損なわれ、そこから雑草が生えてくるという問題があった。
【特許文献１】特開平９−１５４４２０号公報
【発明の開示】
【発明が解決しようとする課題】
【０００５】
本発明は上記の問題に対処すべくなされたもので、防草効果に優れ、シートの接続部分が煽られてめくれる心配がなく、地面に多少の不陸があってもシートを体裁良くほぼ平坦に敷設できる、施工性の良好な防草構体の提供を解決課題としている。
【課題を解決するための手段】
【０００６】
上記の課題を解決するため、本発明の防草構体は、シート両面に多数の凸部を交互に形成した遮光性かつ遮水性の合成樹脂製エンボスシートを、除草すべき地面に敷設、固定したことを特徴とするものである。この防草構体は、除草すべき路肩面や、路肩面から法面に亘って好ましく施工されるが、これに限定されることなく、都市部の空き地などの除草を必要とする全ての地面に好適に施工されるものである。
【０００７】
本発明の防草構体においては、エンボスシートの上から固定ピンを打ち込んでエンボスシートを固定することが好ましい。また、エンボスシートを除草すべき路肩面や、路肩面から法面に亘って敷設、施工する場合は、エンボスシートの道路側の端部を下方に直角に折り曲げて道路に埋め込むことが好ましい。そして、隣接するエンボスシートの端部を上下に重ね、この重ねたシート端部の凸部同士を嵌合させてエンボスシートを接続しながら敷設することが好ましく、更に、この重ねたシート端部の間にコーキング剤を詰めることが好ましい。また、路肩にガードレールがある場合は、ガードレール支柱と、エンボスシートに形成したガードレール支柱の挿通孔との隙間にも、コーキング剤を詰めることが好ましい。
【発明の効果】
【０００８】
本発明の防草構体のように、遮光性かつ遮水性の合成樹脂製エンボスシートを除草すべき地面に敷設、固定すると、太陽光がエンボスシートにより遮断されて地面に当たらず、雨水もエンボスシートにより遮断されて地面に浸透しないため、地面の雑草が枯死し、新たに雑草が生えてこなくなる。従って、エンボスシートを、除草すべき路肩面や、路肩面から法面に亘って敷設、固定すると、路肩面や法面の除草作業が不要となり、道路の景観が良くなると共に、道路の幅員が雑草で狭められて交通の安全性が損なわれる心配を解消することができる。特に、本発明に用いるエンボスシートは、シート両面に多数の凸部を交互に形成した剛性を有するシートであるため、路肩面、法面、空き地などの除草すべき地面に多少の不陸がある場合でも、ほぼ平坦な状態でエンボスシートを敷設して体裁良く防止構体を施工することが可能であり、かつ、エンボスシートの接続部分でシート端部が煽られてめくれることもないので、シート接続部分から雑草が生えてくる心配もなくなる。しかも、このエンボスシートは、耐久性が良く、劣化し難いため、少なくとも５年は新しいものと交換する必要がなく、経済的である。
【０００９】
また、エンボスシートの上から固定ピンを地面に打ち込むと、簡単にエンボスシートを固定できるだけでなく、固定ピンによりエンボスシートに形成された貫通孔と固定ピンとが密着して貫通孔からの雨水の浸入が防止されるため、優れた防草効果を維持することができる。そして、エンボスシートの道路側の端部を下方に直角に折り曲げて道路に埋め込むと、この埋め込んだシート端部の凸部が道路のアスファルトやその下地層に食い込んで、そのアンカー効果によりシート端部が抜け出し不能となるため、エンボスシートの道路側の端部が煽られてめくれるのを確実に防止することができる。また、隣接するエンボスシートの端部を上下に重ね、この重ねたシート端部の凸部同士を嵌合させてエンボスシートを接続しながら敷設すると、エンボスシートの接続部分が凸部同士の嵌合によって位置ズレ不能に強固に接続固定されるため、接続部分のシート端部のめくれや分離を確実に防止することができる。その場合、接続部分の上下のシート端部の間にコーキング剤を詰めると、シート接続部分が密封されて雨水の浸入が確実に阻止されるため、防草効果を一層高めることができる。また、路肩にガードレールがある場合は、ガードレール支柱と、エンボスシートに形成したガードレール支柱の挿通孔との隙間にもコーキング材を詰めると、この隙間から雑草が生えるのを確実に防止することができる。
【発明を実施するための最良の形態】
【００１０】
以下、図面を参照して本発明の具体的な実施形態を詳述する。
【００１１】
図１は本発明の一実施形態に係る防草構体を示す概略断面図、図２は同防草構体に用いる合成樹脂製エンボスシートの部分断面図、図３は同防草構体におけるエンボスシートの接続部分の断面図、図４は同防草構体におけるガードレール支柱挿通部分の概略断面図、図５は同防草構体における固定ピン打込み部分の断面図である。
【００１２】
図１に例示する防草構体は、合成樹脂製エンボスシート１を複数枚並べて、除草すべき道路の路肩面２から法面３に亘って敷設し、エンボスシート１の上から固定ピン４を路肩面２と法面３に打ち込んでエンボスシート１を固定したものである。
【００１３】
このエンボスシート１は、成形性が良く、粘りがあって、強度や耐候性の良好な高密度ポリエチレン等の合成樹脂を用いて成形されたものであって、図２に示すように、シート両面に多数の截頭円錐形の凸部１ａが交互に形成されており、適度な剛性と曲げ加工性を兼ね備えた遮水性の軽量なシートである。このエンボスシート１は、黒色系、茶色系、緑色系などの着色料を含有させることによって遮光性を付与したものであり、好ましくは太陽光を１００％を遮断して優れた防草効果を発揮するエンボスシートが使用される。このエンボスシート１の厚さ寸法（片面の凸部１ａの先端から反対面の凸部１ａの先端までの寸法）や、１平方メートル当たりの質量については、特に限定されないが、厚さ寸法が１０〜３０ｍｍ程度、より好ましくは２０ｍｍ程度のエンボスシートであって、１平方メートル当たり１．１ｋｇ程度の質量を有するものは、取扱い性、接続し易さ、剛性、強度などの観点から極めて好ましく使用される。
【００１４】
高密度ポリエチレンなどの粘りのある合成樹脂で成形されたエンボスシート１を使用すると、図５に示すように、固定ピン４をエンボスシート１の下面側に突き出す凸部１ａに打ち込んでも、割れたり欠けたりすることがなく、固定ピン４の打ち込みによって形成された貫通孔が固定ピン４の周囲に密着する。従って、貫通孔になんのシール処理をしなくても、貫通孔からの雨水の浸入を防止できるので、エンボスシート１の固定作業が簡単になり、施工性が向上する。また、高密度ポリエチレン製のエンボスシート１は、耐久性が良く、短期間で劣化しにくいため、少なくも５年は新しいものと交換する必要がなく、経済的である。
【００１５】
尚、この実施形態では、上端を直角に曲げた固定ピン４を使用しているが、頭部を有する固定ピンや、外周面に戻り防止用の突起を形成した固定ピン等、従来公知の種々の固定ピンを使用できることは言うまでもない。また、この実施形態では、エンボスシート１の上から固定ピン４を直接打ち込んでいるが、場合によっては、フラットバー（不図示）をエンボスシート１の上に載置して、その上から固定ピン４を打ち込むようにしてもよい。
【００１６】
エンボスシート１の道路側の端部１ｂは、図１に示すように下方に直角に折り曲げられて道路の側縁に埋め込まれている。このようにすると、埋め込まれたシート端部１ｂの凸部１ａが道路のアスファルト５やその下地層６に食い込んで、そのアンカー効果によりシート端部１ｂが抜け出し不能に固定されるため、エンボスシート１の道路側の端部１ｂが煽られてめくれるのを確実に防止することができる。
【００１７】
また、この防草構体では、図３に示すように、隣接するエンボスシート１，１の端部１ｃ，１ｃを上下に重ね、この重ねたシート端部１ｃ，１ｃの凸部１ａ，１ａ同士を嵌合させてエンボスシート１，１を接続しながら敷設すると共に、上下のシート端部１ｃ，１ｃの間にコーキング剤７を詰めている。このようにすると、エンボスシート１，１の接続部分が凸部１ａ，１ａ同士の嵌合によって位置ズレ不能に強固に接続固定されるため、接続部分のシート端部１ｃのめくれや分離を確実に防止できると共に、コーキング剤７によってシート接続部分を密封して雨水の浸入を確実に阻止できるため、防草効果を一層高めることができる。
【００１８】
また、この実施形態のように路肩にガードレール８が設置されている場合は、図４に示すように、ガードレール支柱８ａと、エンボスシート１に形成したガードレール支柱の挿通孔１ｄとの隙間にもコーキング剤７を詰めることが好ましい。このようにすると、ガードレール支柱８ａの根元の隙間から雑草が生えるのを確実に防止できる利点がある。
【００１９】
上記構成の防草構体では、太陽光がエンボスシート１により遮断されて路肩面２や法面３に当たらず、雨水もエンボスシート１により遮断されて路肩面２や法面３に浸透しないため、路肩面２や法面３の雑草が枯死し、新たに雑草が生えてこなくなる。従って、路肩面２や法面３の除草作業が不要となり、道路の景観が良くなると共に、道路の幅員が雑草で狭められて交通の安全性が損なわれる心配を解消することができる。しかも、エンボスシート１は剛性を有するため、路肩面２や法面３に多少の不陸がある場合でも、ほぼ平坦な状態でエンボスシートを敷設、固定して体裁良く施工することができ、また、エンボスシート１の接続部分でシート端部１ｃが煽られてめくれたり、エンボスシート１の道路側の端部１ｂが煽られてめくれたりすることもない。そして、固定ピン４によるエンボスシート１の固定作業が簡単で貫通孔のシール処理が不要であり、エンボスシート同士の接続も簡単かつ確実に行えるので、施工性が良好であるなど、多くの効果を奏する。
【００２０】
以上の実施形態では、エンボスシート１を除草すべき路肩面２から法面３に亘って敷設、固定しているが、エンボスシート１は路肩面２にのみ敷設、固定してもよく、このように路肩面２のみに敷設しても、雑草による道路の景観の悪化及び交通安全性の低下を有効に防止することができる。尚、路肩面が崖面に連なる場合は、路肩面から崖面に亘ってエンボスシート１を敷設、固定すればよい。
【００２１】
図６は本発明の他の実施形態に係る防草構体を示す概略断面図であって、このものは、合成樹脂製エンボスシート１を複数枚並べて、除草すべき空き地の地面９に敷設し、エンボスシート１の上から固定ピン４を地面９に打ち込んでエンボスシート１を固定している。そして、前述した実施形態の防草構体と同様に、隣接するエンボスシート１，１の端部を重ねて凸部１ａ，１ａ同士を嵌合させることにより、位置ズレ不能にシート１，１同士接続すると共に、重ねたシート端部の間にコーキング剤（不図示）を詰めて密封している。また、地面９に打ち込んだ柵の杭１０と、エンボスシート１に形成した杭挿通孔との隙間にも、コーキング剤（不図示）を詰め込み、雑草が生えないようにしている。
【００２２】
このように空き地の地面９に施工した防草構体も、前記の路肩に施工した防草構体と同様に優れた防草効果を発揮し、空き地の景観を高めると共に、防犯にも役立つものとなる。
【図面の簡単な説明】
【００２３】
【図１】本発明の一実施形態に係る防草構体を示す概略断面図である。
【図２】同防草構体に用いる合成樹脂製エンボスシートの部分断面図である。
【図３】同防草構体におけるエンボスシートの接続部分の断面図である。
【図４】同防草構体におけるガードレール支柱挿通部分の概略断面図である。
【図５】同防草構体における固定ピン打込み部分の断面図である。
【図６】本発明の他の実施形態に係る防草構体を示す概略断面図である。
【符号の説明】
【００２４】
１    エンボスシート
１ａ  凸部
１ｂ  エンボスシートの道路側の端部
１ｃ  上下に重ねたシート端部
１ｄ  挿通孔
２    路肩面
３    法面
４    固定ピン
７    コーキング剤
８ａ  ガードレール支柱
９    空き地の地面
１０  杭
【図１】
2006177122.tif 000003
【図２】
2006177122.tif 000004
【図３】
2006177122.tif 000005
【図４】
2006177122.tif 000006
【図５】
2006177122.tif 000007
【図６】
2006177122.tif 000008